(57)【要約】【課題】上記した課題を解決すべく、ハウジング内の温度上昇を抑制する光走査装置を提供する。【解決手段】  本発明の光走査装置２２は、光源３１から出射された光を偏向する偏向器６０を内蔵するハウジング４０と、偏向器６０を制御するＩＣチップ６５を含む制御基板６３と、を備え、制御基板６３は、ＩＣチップ６５をハウジング４０の外部に露出させる姿勢でハウジング４０の内部に取り付けられる。【選択図】図４
2017134221.tif 000002
【特許請求の範囲】
【請求項１】
光源から出射された光を偏向する偏向器を内蔵するハウジングと、
前記偏向器を制御するＩＣチップを含む制御基板と、を備え、
前記制御基板は、前記ＩＣチップを前記ハウジングの外部に露出させる姿勢で前記ハウジングの内部に取り付けられることを特徴とする光走査装置。
【請求項２】
前記ハウジングは、
底部の周縁部に立設される壁部と、
前記壁部の先端部から前記底部に向けて切り欠かれる開口部と、を有し、
前記ＩＣチップは、前記開口部から前記ハウジングの外部に露出していることを特徴とする請求項１に記載の光走査装置。
【請求項３】
前記ハウジングは、
底部の周縁部に立設される壁部と、
前記壁部に穴を開けて形成される開口部と、を有し、
前記ＩＣチップは、前記開口部を貫通して前記ハウジングの内部から外部に貫通していることを特徴とする請求項１に記載の光走査装置。
【請求項４】
前記ハウジングの開放面を閉塞するカバーと、
前記開口部に配置された前記制御基板と前記カバーとの間に設けられるシール部材と、を更に備えていることを特徴とする請求項２または３に記載の光走査装置。
【請求項５】
請求項１ないし４のいずれかに記載の光走査装置と、
前記光走査装置に露光される感光体と、を備えていることを特徴とする画像形成装置。
【発明の詳細な説明】
【技術分野】
【０００１】
本発明は、光走査装置およびこれを備える画像形成装置に関する。
【背景技術】
【０００２】
電子写真方式の画像形成装置は、走査光を感光体の表面に照射する光走査装置を搭載している。光走査装置は、感光体を露光して、その表面に静電潜像を形成する。
【０００３】
特許文献１に記載の光走査装置は、金属部材によって上面を覆われている。金属部材は、四角形状の基部と、光走査装置と定着器との間に配置される壁部と、サイドフレームに取り付けられる２つの連結部と、を備えている。壁部と基部との間には、開口部が設けられる。定着器から壁部に伝達された熱は、開口部のない側から基部に伝達され、各連結部を介してサイドフレームに伝達される。その際、走査中心に対して左右で熱伝達に差が生じ、光走査装置内の温度を均一にするようになっている。
【先行技術文献】
【特許文献】
【０００４】
【特許文献１】特開２００６−３５０３号公報
【発明の概要】
【発明が解決しようとする課題】
【０００５】
ところで、光走査装置には、各種レンズ、ポリゴンモーターおよび制御基板等が内蔵されている。高速回転するポリゴンモーターの回転軸（軸受）や制御基板に実装されたＩＣチップは、動作時に発熱する。しかしながら、上記の技術では、光走査装置の内部で発生する熱について十分に考慮されていなかった。このため、光走査装置内の温度が上昇し、光走査装置のハウジングが熱変形することがあった。ハウジングが熱変形すると、レンズやポリゴンモーターの取付位置がずれることがあった。この結果、感光体上における走査光の結像位置がずれ、画像品質が低下するという問題があった。
【０００６】
本発明は、上記した課題を解決すべく、ハウジング内の温度上昇を抑制する光走査装置およびこれを備える画像形成装置を提供する。
【課題を解決するための手段】
【０００７】
上記した目的を達成するため、本発明の光走査装置は、光源から出射された光を偏向する偏向器を内蔵するハウジングと、前記偏向器を制御するＩＣチップを含む制御基板と、を備え、前記制御基板は、前記ＩＣチップを前記ハウジングの外部に露出させる姿勢で前記ハウジングの内部に取り付けられる。
【０００８】
一般的に、ＩＣチップは、偏向器の制御時に発熱する。しかしながら、この構成によれば、ＩＣチップは、ハウジングの外部に配置されているため、ハウジング内の温度上昇を抑制することができる。これにより、ハウジングの熱変形が抑制され、画像品質を良好に維持することができる。
【０００９】
この場合、前記ハウジングは、底部の周縁部に立設される壁部と、前記壁部の先端部から前記底部に向けて切り欠かれる開口部と、を有し、前記ＩＣチップは、前記開口部から前記ハウジングの外部に露出していることが好ましい。
【００１０】
この構成によれば、開口部は、壁部を途中で分離するような切り欠きとして形成されている。つまり、壁部の先端面は、開口部によって開放されている。したがって、例えば、取付作業を行う者は、ＩＣチップを外部に位置させた姿勢とした制御基板を壁部の先端側から開口部に挿入することができる。これにより、ハウジングに対する制御基板の取付作業を簡単に行うことができる。
【００１１】
この場合、前記ハウジングは、底部の周縁部に立設される壁部と、前記壁部に穴を開けて形成される開口部と、を有し、前記ＩＣチップは、前記開口部を貫通して前記ハウジングの内部から外部に貫通していることが好ましい。
【００１２】
この構成によれば、開口部は、壁部を貫く穴として形成されている。壁部は開口部によって分離されていないため、壁部の剛性を高く維持することができる。
【００１３】
この場合、前記ハウジングの開放面を閉塞するカバーと、前記開口部に配置された前記制御基板と前記カバーとの間に設けられるシール部材と、を更に備えていることが好ましい。
【００１４】
この構成によれば、開口部の縁部とカバーと制御基板との間に形成される隙間は、シール部材によって塞がれる。これにより、ハウジングとカバーとの間の空間が密閉され、光走査装置の防塵性を向上させることができる。
【００１５】
上記した目的を達成するため、本発明の画像形成装置は、上記のいずれかに記載の光走査装置と、前記光走査装置に露光される感光体と、を備えている。
【００１６】
この構成によれば、発熱するＩＣチップをハウジングの外部に配置することで、ハウジング内の温度上昇（ハウジングの熱変形）を抑制することができる。これにより、画像品質を良好に維持することができる。
【発明の効果】
【００１７】
本発明によれば、ハウジング内の温度上昇を抑制することができる。その結果、ハウジングの熱変形が抑制され、画像品質を良好に維持することができる。
【図面の簡単な説明】
【００１８】
【図１】本発明の第１実施形態に係るプリンターの内部構造を模式的に示す断面図である。
【図２】本発明の第１実施形態に係る光走査装置を示す斜視図である。
【図３】本発明の第１実施形態に係る光走査装置を示す分解斜視図である。
【図４】本発明の第１実施形態に係る光走査装置の内部構造を示す斜視図である。
【図５】図２のＶ−Ｖ断面図である。
【図６】本発明の第１実施形態の変形例に係る光走査装置を示す断面図である。
【図７】本発明の第２実施形態に係る光走査装置の内部構造を示す斜視図である。
【図８】本発明の第２実施形態に係る光走査装置を示す斜視図である。
【図９】本発明の第２実施形態の変形例に係る光走査装置の一部を示す断面図である。
【発明を実施するための形態】
【００１９】
以下、添付の図面を参照しつつ、本発明の好適な実施形態について説明する。なお、以下、各図に示す方向を基準に説明する。
【００２０】
図１を参照して、第１実施形態に係る画像形成装置としてのプリンター１について説明する。図１はプリンター１の内部構造を模式的に示す断面図である。
【００２１】
プリンター１は、装置本体２と、給紙カセット３と、排紙トレイ４と、を備えている。給紙カセット３は、装置本体２の下部で前後方向に挿脱可能に設けられている。給紙カセット３には、枚葉のシートＳ（の束）が収容されている。排紙トレイ４は、装置本体２の上面に設けられている。なお、シートＳは、紙製に限らず、樹脂フィルム等であってもよい。
【００２２】
また、プリンター１は、給紙部１０と、画像形成部１１と、定着装置１２と、排紙部１３と、を装置本体２に内蔵している。給紙部１０は、給紙カセット３から排紙トレイ４まで延びる搬送路１５の上流側に設けられている。画像形成部１１は、搬送路１５の中間部に設けられている。定着装置１２は、搬送路１５にて画像形成部１１よりも下流側に設けられている。排紙部１３は、搬送路１５の下流端部に設けられている。
【００２３】
給紙部１０は、給紙カセット３内のシートＳを１枚ずつ搬送路１５の下流側に向けて送り出す。画像形成部１１は、シートＳにトナー像を転写させる。画像形成部１１は、トナーコンテナ２０と、ドラムユニット２１と、光走査装置２２と、を有している。
【００２４】
トナーコンテナ２０は、例えば、黒色のトナー（現像剤）を収容している。ドラムユニット２１は、感光体ドラム２３と、帯電装置２４と、現像装置２５と、転写ローラー２６と、クリーニング装置２７と、を有している。感光体ドラム２３は、駆動機構（図示せず）に回転駆動される。帯電装置２４、現像装置２５、転写ローラー２６およびクリーニング装置２７は、感光体ドラム２３の周囲に転写プロセス順に配置されている。転写ローラー２６は、後側から感光体ドラム２３に圧接して転写ニップ２６ａを形成している。
【００２５】
ここで、プリンター１の動作について説明する。プリンター１の制御装置（図示せず）は、入力された画像データに基づいて、以下のように画像形成処理を実行する。
【００２６】
帯電装置２４は、感光体ドラム２３の表面を帯電させる。光走査装置２２は、感光体ドラム２３に向けて画像データに対応した露光（図１の破線矢印参照）を行う。現像装置２５は、感光体ドラム２３の表面に形成された静電潜像をトナー像に現像する。一方、給紙カセット３から供給されたシートＳは、搬送路１５を搬送されて転写ニップ２６ａまで到達する。転写バイアスが印加された転写ローラー２６は、転写ニップ２６ａを通過するシートＳにトナー像を転写させる。定着装置１２は、シートＳにトナー像を定着させる。定着処理後のシートＳは、排紙部１３によって排紙トレイ４上に排出される。クリーニング装置２７は、転写後に感光体ドラム２３の表面に残ったトナーを除去する。
【００２７】
次に、図２ないし図５を参照して、第１実施形態に係る光走査装置２２について説明する。図２は光走査装置２２の斜視図である。図３は光走査装置２２を示す分解斜視図である。図４は光走査装置２２の内部構造を示す斜視図である。図５は、図２のＶ−Ｖ断面図である。
【００２８】
図２および図３に示すように、光走査装置２２は、光学箱３０と、光源３１と、レンズ群３２と、光偏向ユニット３３と、ｆθレンズ３４と、を備えている。光走査装置２２は、画像データに基づいて光（レーザービーム（図１参照））を感光体ドラム２３の表面に走査させる。
【００２９】
図２に示すように、光学箱３０は、例えば、耐熱性の合成樹脂製で、箱状に形成されている。光学箱３０は、ハウジング４０と、カバー５０と、を含んでいる。ハウジング４０は、上部に開放面４０Ｕを有するトレイ状に形成されている（図４参照）。カバー５０は、ハウジング４０の開放面４０Ｕを閉塞する。
【００３０】
図３および図４に示すように、ハウジング４０は、底部４１と、壁部４２と、開口部４３と、を有している。底部４１は、平面視で略矩形状に形成されている。壁部４２は、底部４１の周縁部に立設されている。つまり、壁部４２は、底部４１を囲むように形成されている。壁部４２に囲まれた底部４１の上面には、レンズ群３２、光偏向ユニット３３およびｆθレンズ３４が取り付けられている。後側の壁部４２には、露光開口４４が穿設されている。露光開口４４は、左右方向に長いスリット状に形成されている。なお、前側の壁部４２の前面には、左右一対の係合突起４５が突設されている。後側の壁部４２の後面には、左右一対のフック係合穴４６が形成されている。
【００３１】
開口部４３は、前側の壁部４２の右側に形成されている。開口部４３は、ハウジング４０の内部と外部とを連通させる開口であって、正面視で矩形状に形成されている。開口部４３は、壁部４２の先端部（上端部）から底部４１（下方）に向けて切り欠かれている。開口部４３は、壁部４２を途中で分離するような切り欠きとして形成されている。つまり、壁部４２の上端面は、開口部４３によって開放されている。
【００３２】
図２および図３に示すように、カバー５０は、下部に開放面を有するトレイ状に形成されている。カバー５０は、概ねハウジング４０を上下対称にしたような形状を成している。カバー５０は、天部５１と、壁部５２と、を有している。天部５１は、平面視でハウジング４０の壁部４２の輪郭と略同一形状を成している。壁部５２は、天部５１を囲むように天部５１の周縁部に垂設されている。なお、前側の壁部５２には、左右一対の係合片５３が下方に延設されている。後側の壁部５２には、左右一対の係合フック５４が下方に延設されている（図３参照）。
【００３３】
カバー５０は、ハウジング４０よりも僅かに大きく形成されている。図２に示すように、カバー５０をハウジング４０に取り付けた状態（光学箱３０が構成された状態）で、ハウジング４０の壁部４２の上側が、カバー５０の壁部５２の内側に嵌合するようになっている。なお、カバー５０をハウジング４０に取り付けた状態で、ハウジング４０の各係合突起４５は、カバー５０の各係合片５３に形成された嵌合穴５３ａに係合している。また、この状態で、カバー５０の各係合フック５４（図３参照）は、ハウジング４０の各フック係合穴４６（図４参照）に係合している。
【００３４】
図２および図３に示すように、前側の壁部５２の右側（左右一対の係合片５３の間）には、シール押え部５５が形成されている。シール押え部５５は、壁部５２の下端部よりも下方に延出している。カバー５０をハウジング４０に取り付けた状態で、シール押え部５５は、ハウジング４０の開口部４３の上部を外側（前側）から覆う（塞ぐ）ように形成されている（図２参照）。シール押え部５５の下部には、後述する基板本体６４を嵌合させる嵌合凹部５５ａが凹設されている。嵌合凹部５５ａには、略棒状のシール部材５６が固定されている（接着剤や両面テープ等で固定）。シール部材５６は、例えば、ポリウレタンやゴムを素材としたスポンジで構成されている。
【００３５】
図３および図４に示すように、光源３１は、可視領域（例えば、波長６７０ｎｍ程度）のレーザービームを射出可能なレーザーダイオードである。光源３１は、ハウジング４０の左側の壁部４２に取り付けられている。光源３１は、制御装置に制御され、画像データに基づいてレーザービームを射出する（図４に示すＬＡ参照）。
【００３６】
図４に示すように、レンズ群３２は、光源３１と光偏向ユニット３３との間に配置されている。レンズ群３２は、コリメーターレンズ３２ａと、シリンダーレンズ３２ｂと、を有している。コリメーターレンズ３２ａは光源３１側に設けられ、シリンダーレンズ３２ｂは光偏向ユニット３３側に設けられている。コリメーターレンズ３２ａは、光源３１から射出されたレーザービームから平行光を得るように収差補正されている。シリンダーレンズ３２ｂは、コリメーターレンズ３２ａを通過したレーザービームを収束させる。
【００３７】
図４および図５に示すように、光偏向ユニット３３は、ハウジング４０の底部４１の右後側に配置されている。光偏向ユニット３３は、偏向器６０と、制御基板６３と、を含んでいる。偏向器６０は、ハウジング４０の内部に配置されている。制御基板６３は、その一部をハウジング４０の外部に露出させている。
【００３８】
偏向器６０は、ハウジング４０に内蔵され、光源３１から出射されたレーザービーム（（ＬＡ）を偏向する。偏向器６０は、ポリゴンモーター６１と、ポリゴンミラー６２と、を含んでいる。
【００３９】
ポリゴンモーター６１は、制御基板６３上に取り付けられている。ポリゴンモーター６１は、鉛直上方に延びる回転軸６１ａを有している。ポリゴンミラー６２は、平面視で正多角形に形成されている。ポリゴンミラー６２の周囲には、反射面が設けられている。ポリゴンミラー６２は、ポリゴンモーター６１の回転軸６１ａに固定されている。
【００４０】
制御基板６３は、基板本体６４と、ＩＣチップ６５と、を含んでいる。基板本体６４は、平面視で前後方向に長い矩形状に形成されている。基板本体６４の後側には、ポリゴンモーター６１が実装されている。基板本体６４の前側には、ＩＣチップ６５やコネクター６６等の電子部品が実装されている。コネクター６６には、制御装置等から延びる電力供給線や信号線等のハーネス（図示せず）が接続される。
【００４１】
ＩＣチップ６５は、コネクター６６等の電子部品やポリゴンモーター６１に電気的に接続されている。ＩＣチップ６５は、偏向器６０（ポリゴンモーター６１）を制御するために設けられている。ＩＣチップ６５のメモリー（図示せず）には、ポリゴンモーター６１の駆動制御に必要なプログラムやデータが記憶されている。
【００４２】
制御基板６３は、ＩＣチップ６５をハウジング４０の外部に露出させる姿勢でハウジング４０の内部に取り付けられる。詳細には、基板本体６４の後側は、３本のビスＢによって底部４１に固定されている（図４参照）。一方、基板本体６４の前側は、開口部４３からハウジング４０の外側に延出している。つまり、ＩＣチップ６５は、開口部４３からハウジング４０の外部に露出している。
【００４３】
図５に示すように、カバー５０をハウジング４０に取り付けた状態で、カバー５０のシール押え部５５に設けたシール部材５６は、開口部４３に配置された基板本体６４の上面に圧着される。シール部材５６は僅かに押し潰され、基板本体６４はシール押え部５５の嵌合凹部５５ａ内に嵌り込む。シール部材５６は、シール押え部５５の下端面と基板本体６４の上面とに密着すると共に、開口部４３の左右両縁部と基板本体６４の左右両端部とに密着する。これにより、光学箱３０の内部空間が密閉された状態になる。
【００４４】
ｆθレンズ３４は、ハウジング４０の底部４１の後側に配置されている。ｆθレンズ３４は、ポリゴンミラー６２で偏向されたレーザービーム（図４に示すＬＢ参照）を主走査方向に等速度となるように走査させる。
【００４５】
ここで、図４を参照して、光走査装置２２が感光体ドラム２３の表面を露光する作用について説明する。ポリゴンモーター６１は、ＩＣチップ６５に駆動制御されて、ポリゴンミラー６２を回転軸６１ａ周りに回転させる。光源３１から射出されたレーザービーム（ＬＡ）は、レンズ群３２を通過し、回転するポリゴンミラー６２に入射する。ポリゴンミラー６２は、レーザービーム（ＬＡ）を偏向し、その偏向されたレーザービーム（ＬＢ）は、ｆθレンズ３４によって主走査方向において等速度に走査される。その走査されたレーザービーム（ＬＢ）は、露光開口４４を通って感光体ドラム２３（図１参照）の表面に結像される。これにより、感光体ドラム２３の表面に静電潜像が形成される。
【００４６】
ところで、光走査装置２２の動作時（露光実行時）において、主にポリゴンモーター６１とＩＣチップ６５とが大きな発熱源となる。仮に、ポリゴンモーター６１とＩＣチップ６５とがハウジング４０（光学箱３０）に内蔵されていた場合、光学箱３０内の温度上昇を抑制することが困難になる。
【００４７】
これに対し、第１実施形態に係る光走査装置２２によれば、ＩＣチップ６５は、ハウジング４０（光学箱３０）の外部に配置されている（図２ないし図５参照）。偏向器６０の制御時に発熱するＩＣチップ６５をハウジング４０内から除外することで、ハウジング４０内の温度上昇を抑制することができる。これにより、ハウジング４０の熱変形が抑制され、画像品質を良好に維持することができる。
【００４８】
また、上記したように、開口部４３は、壁部４２を分断するように凹設されている（図４参照）。この構成によれば、取付作業を行う者は、ＩＣチップ６５を外部に位置させた姿勢とした制御基板６３を上方から開口部４３に挿入することができる。これにより、ハウジング４０に対する制御基板６３の取付作業を簡単に行うことができる。
【００４９】
また、上記したように、シール部材５６は、開口部４３に配置された制御基板６３とカバー５０との間に設けられている（図５参照）。そして、制御基板６３は、シール部材５６を介して開口部４３の縁部とカバー５０との間に挟持される。この構成によれば、開口部４３の縁部とカバー５０（壁部５２）と制御基板６３（基板本体６４）との間に形成される隙間は、シール部材５６によって塞がれる。これにより、ハウジング４０とカバー５０との間の空間が密閉され、光走査装置２２の防塵性を向上させることができる。
【００５０】
なお、第１実施形態に係る光走査装置２２は、開口部４３をハウジング４０に形成していたが、本発明はこれに限定されない。例えば、図６に示すように、開口部４３１がトレイ状のカバー５０１に形成されていてもよい（第１実施形態の変形例）。この場合、ハウジング４０１の前側の壁部４２は省略されている。また、カバー５０１の前側の壁部５２は、ハウジング４０１の底部４１まで延出している。開口部４３１は、カバー５０１の壁部５２の下端部から上方に切り欠かれている。
【００５１】
次に、図７および図８を参照して、第２実施形態に係る光走査装置７０ついて簡単に説明する。図７は光走査装置７０の内部構造を示す斜視図である。図８は光走査装置７０を示す斜視図である。なお、以下の説明では、第１実施形態に係る光走査装置２２と同様の構成については、同一の符号を付し、その説明は省略する。
【００５２】
第２実施形態に係る光走査装置７０は、ハウジング４０の壁部４２に穿設される開口部７１を備える点で、第１実施形態に係る光走査装置２２と相違する。
【００５３】
図７に示すように、開口部７１は、前側の壁部４２に穴を開けて形成されている。開口部７１は、壁部４２を貫く矩形状の穴として形成されている。第１実施形態に係る光走査装置２２の開口部４３とは異なり、開口部７１の上側（壁部４２の上端面）は開放されていない。この構成によれば、壁部４２は開口部７１によって分離されていないため、壁部４２の剛性を高く維持することができる。
【００５４】
制御基板６３は、ハウジング４０の内側から開口部７１に挿入される。そして、基板本体６４の前側が、開口部７１から外側に延出する。すなわち、ＩＣチップ６５は、開口部７１を前記ハウジングの内部から外部に貫通している。なお、基板本体６４の後側は、ハウジング４０の底部４１にビス止め（３点固定）されている。
【００５５】
図８に示すように、第２実施形態に係る光走査装置７０では、カバー５０のシール押え部５５が省略されている。カバー５０をハウジング４０に取り付けた状態で、シール部材７２（スポンジ製）が、ハウジング４０の前側の壁部４２に貼着される。シール部材７２は、矩形板状に形成され、開口部７１の縁部と壁部５２と基板本体６４との間に形成される隙間を塞ぐ。
【００５６】
なお、シール部材７２は、ハウジング４０の壁部４２に固定されていたが、本発明はこれに限定されない。例えば、シール部材７２は、カバー５０の壁部５２に固定してもよい（図示せず）。他にも、図９に示すように、例えば、カバー５０の壁部５２の内側に、壁部５２に平行を成すシール貼付面７５を形成し、そのシール貼付面７５にシール部材７２を固定してもよい（第２実施形態の変形例）。この場合、ハウジング４０の壁部４２は、壁部５２とシール貼付面７５との間に嵌合する。シール貼付面７５は、ハウジング４０の内部に進入し、開口部７１を内側から塞ぐ。
【００５７】
なお、図示は省略するが、上記した第１実施形態の変形例に係る光走査装置２２の開口部４３１を、第２実施形態（変形例も含む）に係る光走査装置７０に適用してもよい。
【００５８】
なお、各実施形態の説明では、一例として、本発明をモノクロのプリンター１に適用した場合を示したが、これに限らず、例えば、カラープリンター、複写機、ファクシミリまたは複合機等に本発明を適用してもよい。
【００５９】
なお、上記実施形態の説明は、本発明に係る光走査装置およびこれを備える画像形成装置における一態様を示すものであって、本発明の技術範囲は、上記実施態様に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【００６０】
１  プリンター（画像形成装置）
２２  光走査装置
２３  感光体ドラム（感光体）
３１  光源
４０  ハウジング
４１  底部
４２  壁部
４３，７０，４３１  開口部
５０  カバー
５６，７２  シール部材
６０  偏向器
６３  制御基板
６５  ＩＣチップ
【図１】
2017134221.tif 000003
【図２】
2017134221.tif 000004
【図３】
2017134221.tif 000005
【図４】
2017134221.tif 000006
【図５】
2017134221.tif 000007
【図６】
2017134221.tif 000008
【図７】
2017134221.tif 000009
【図８】
2017134221.tif 000010
【図９】
2017134221.tif 000011